(57)【要約】      （修正有）【課題】消しゴム屑や砂粒その他のゴミを効率よく取ることができ、最初から最後まで安定したゴミ捕捉力を保ち、使用済み粘着テープなどの廃棄物を出さず、捕捉したゴミはワンタッチでゴミ箱に入れられてゴミ捕捉面が何度でも利用できる、エコでコンパクトなゴミ取り具を提供する。【解決手段】表面に複数の突起１１と多数の孔を有する筒形状の突起ローラー部と、前記突起ローラー部の中空筒部内に設けられたロール形状の下層体と前記各孔から外部に突出するように当該下層体表面に立設された多数の毛２１とを有する回転ブラシ部と、前記回転ブラシ部を前記突起ローラー部内で周方向に回転させて前記下層体表面に立設された各毛２１を前記突起ローラー部表面の前記孔から突出・収納させる操作部材と、を備えたゴミ取り具１００を提供する。【選択図】図２
2015083103.tif 000002
【特許請求の範囲】
【請求項１】
表面に複数の突起と多数の孔を有する筒形状の突起ローラー部と、
前記突起ローラー部の中空筒部内に設けられたロール形状の下層体及び前記各孔から外部に突出するように前記当該下層体表面に立設された多数の毛とを有する回転ブラシ部と、
前記回転ブラシ部を前記突起ローラー部内で周方向に回転させて前記下層体表面に立設された各毛を前記突起ローラー部表面の前記孔から突出させ又は前記孔に入り込ませる操作部材と、を備えたことを特徴とするゴミ取り具。
【請求項２】
前記回転ブラシ部に立設された前記毛の先端は、前記突起ローラー部の前記各孔の中に入っていることを特徴とする請求項１に記載のゴミ取り具。
【請求項３】
表面に複数の突起を有するメッシュ状シートをロール形状にした突起ローラー部と、
前記突起ローラー部の中空筒部内に設けられたロール形状の下層体と前記メッシュ状シートの網目から外部に突出するように当該下層体表面に立設された多数の毛とを有する回転ブラシ部と、
前記回転ブラシ部を前記突起ローラー部内で周回方向に回転させて前記下層体表面に立設された各毛を前記突起ローラー部表面の網目から突出させ又は前記網目に入り込ませる操作部材と、を備えたことを特徴とするゴミ取り具。
【請求項４】
表面に複数の突起と多数の孔を有するロール形状の突起ローラー部と、
前記突起ローラー部の中空筒部内に設けられたロール形状の下層体と前記各孔から外部に突出するように当該下層体表面に立設された多数のキノコ形状の突起物であるキノコ形ブラシピンとを有する回転ブラシ部と、
前記回転ブラシ部を前記突起ローラー部内で周方向に回転させて前記下層体表面に立設された各キノコ形ブラシピンを前記突起ローラー部表面の前記孔から突出させ又は前記孔に入り込ませる操作部材と、を備えたことを特徴とするゴミ取り具。
【請求項５】
前記キノコ形ブラシピンの先端にある傘形状の部分は、前記突起ローラー部の表面より上に出ていることを特徴とする請求項４に記載のゴミ取り具。
【請求項６】
前記突起ローラー部の前記突起は、先端がふくらんだ形状となっていることを特徴とする請求項１から請求項５いずれか１つに記載のゴミ取り具。
【発明の詳細な説明】
【技術分野】
【０００１】
この発明は、机の消しゴム屑や床に落ちた砂その他のゴミを効率よく取ることができる、コンパクトでエコロジーなゴミ取り具に関する。
【背景技術】
【０００２】
従来、ゴミ取り具としては、粘着テープを用いた粘着式ローラーが各種提案されている（例えば、特許文献１及び特許文献２参照）。これら粘着式ローラーは、粘着テープにゴミを吸着することによってゴミを取るものである。
【先行技術文献】
【特許文献】
【０００３】
【特許文献１】特開平８−５３２号公報
【特許文献２】実用新案登録第３１６７２０３号公報
【発明の概要】
【発明が解決しようとする課題】
【０００４】
しかしながら、これら粘着式ローラーでは、粘着テープにゴミを吸着させ、吸着する箇所がなくなると粘着テープを剥がさなければいけないので手間がかかり、使用済み粘着テープの廃棄物が出るという問題があった。さらに、フローリング床等つるつるした場所を掃除する場合に、最初は粘着テープの粘着力が強すぎて粘着テープが床に貼り付いてしまい、最後のほうは粘着テープの粘着力が低下してゴミを吸着しなくなるという粘着力の不安定性の問題があった。
【０００５】
そこで、本発明の目的は、使用済み粘着テープなどの廃棄物を出さずに消しゴム屑や砂粒その他のゴミを効率よく取ることができ、最初から最後まで安定したゴミ捕捉力を保ち、捕捉したゴミはワンタッチでゴミ箱に入れられてゴミ捕捉面が何度でも利用できる、エコでコンパクトなゴミ取り具を提供することにある。
【課題を解決するための手段】
【０００６】
この発明にかかるゴミ取り具は、表面に複数の突起と多数の孔を有するロール形状である突起ローラー部と、前記突起ローラー部の中空筒部内に設けられたロール形状の下層体及び前記各孔から外部に突出するよう前記下層体の表面に立設された多数の毛とを有する回転ブラシ部と、前記下層体を前記突起ローラー部内で回転させて前記下層体表面に立設された各毛を前記突起ローラー部表面の前記孔から突出させ又は前記孔に入り込ませる操作部材と、を備えたことを特徴とする。
【０００７】
この発明によれば、消しゴム屑その他のゴミが散らばった机の上でゴミ取り具のローラー部分を転がすと突起と突起の間隙にゴミが挟まり、効率よく、ゴミを捕捉することができる。また、ゴミを捕捉したあとは、ゴミ箱の上にゴミ取り具を持ってきたうえで、操作部材を操作して回転ブラシ部を周回方向に回転させると、複数の毛が突起ローラー部の孔から突出し、突起と突起の間隙に挟まったゴミを押し上げ、ゴミをはじき出すため、ゴミに手を触れることなく簡単にゴミ捨てができる。ワンタッチでゴミを捨てられるので、ゴミを捕捉する力が安定しており快適に掃除ができる。
【０００８】
また、この発明にかかるゴミ取り具の回転ブラシ部に立設された毛の先端は、前記突起ローラー部の前記各孔の中に入っていることを特徴とする。
【０００９】
この発明によれば、回転ブラシ部の毛の先端が、常時、孔の中にあるので、操作部材を操作して回転ブラシ部を周方向に回転させれば、多数の毛が孔から外部に突出し、確実にゴミを外部にはじき出すことができる。回転ブラシ部を反対方向に回しすぎると毛の先端が孔から出てしまうので、回転ブラシ部が回転する幅は、所定位置までとなるよう操作部材が設定されている。回転ブラシ部の毛の先端は、常時孔の中にあり、回転ブラシ部が回転したのに毛の先端が孔の中に入りそこねて孔から毛が出てこないということは起こらない。
【００１０】
また、この発明にかかるゴミ取り具は、表面に複数の突起を有するメッシュ状シートをロール形状にした突起ローラー部と、前記突起ローラー部の中空筒部内に設けられたロール形状の下層体と前記メッシュ状シートの網目から外部に突出するように当該下層体表面に立設された多数の毛とを有する回転ブラシ部と、前記回転ブラシ部を前記突起ローラー部内で周回方向に回転させて前記下層体表面に立設された各毛を前記突起ローラー部表面の網目から突出させ又は前記網目に入り込ませる操作部材と、を備えたことを特徴とする。
【００１１】
この発明によれば、  消しゴム屑などのゴミが散らばった机の上でゴミ取り具のローラー部分を転がすと、突起と突起の間隙にゴミが挟まるので、効率よく、ゴミを捕捉することができる。また、ゴミを捕捉したあとは、ゴミ箱の上にゴミ取り具を持ってきたうえで、操作部材を操作して回転ブラシ部を周回方向に回転させると、複数の毛が突起ローラー部のメッシュの網目を突き抜けて突出し、突起と突起の間隙に挟まったゴミを押し上げ、ゴミをはじき出す。したがって、ゴミに手を触れることなく簡単にゴミ捨てができる。
【００１２】
また、この発明にかかるゴミ取り具の前記突起は、先端がふくらんだ形状となっていることを特徴とする。
【００１３】
この発明によれば、突起ローラー部の突起の先端がふくらんでいるので、突起ローラー部の突起でからめとったゴミは突起と突起の間にしっかりと保持され、ゴミが落ちにくい。さらに、突起ローラー部の突起でゴミを捕獲したあと、ゴミ箱の上で操作部材を操作して回転ブラシ部を周回方向に回転させると、回転ブラシ部の毛が突起ローラー部の各孔から突出し突起ローラー部の突起と突起の間隙に挟まったゴミを押し出すが、突起ローラー部の突起の先端がふくらんでいるため、回転ブラシ部の毛が突起ローラー部の突起に挟まったゴミを、こそげ落とす。したがって、細かいゴミも、きちんと落とすことができる。
【００１４】
また、この発明のゴミ取り具は、表面に複数の突起と多数の孔を有するロール形状の突起ローラー部と、
前記突起ローラー部の中空筒部内に設けられたロール形状の下層体と前記各孔から外部に突出するように当該下層体表面に立設された多数のキノコ形状の突起物であるキノコ形ブラシピンとを有する回転ブラシ部と、
前記回転ブラシ部を下層体を前記突起ローラー部内で周回方向に回転させて前記下層体表面に立設された各キノコ形ブラシピンを前記突起ローラー部表面の前記孔から突出させ又は前記孔に入り込ませる操作部材と、を備えたことを特徴とする。
【００１５】
この発明によれば、消しゴム屑などのゴミが散らばった机の上でゴミ取り具のローラー部分を転がすと、突起と突起の間隙にゴミが挟まるので、効率よく、ゴミを捕捉することができる。また、ゴミを捕捉したあとは、ゴミ箱の上にゴミ取り具を持ってきたうえで、操作部材を操作して回転ブラシ部を周回方向に回転させると、複数のキノコ状突起物が突出し、突起と突起の間隙に挟まったゴミを押し上げ、ゴミをはじき出すため、ゴミに手を触れることなく簡単にゴミ捨てができる。
【００１６】
また、この発明のゴミ取り具は、前記キノコ形状突起物の先端の傘の部分は、前記突起ローラー部の表面より上に出ていることを特徴とする。
【００１７】
この発明によれば、回転ブラシ部のキノコ状突起物のキノコの傘にあたる部分が突起ローラー部の表面から出ているので、操作部材を操作すれば、キノコの傘が突起ローラー部に立設された突起を、こするように動き、突起についた細かいゴミまで、キノコの傘でこそげ落とすことができる。
【図面の簡単な説明】
【００１８】
【図１】この発明の実施の形態１にかかるゴミ取り具を示す平面図である。
【図２】図１に示したゴミ取り具の下層体収納時の状態を示すＡ−Ａ断面図である。
【図３】図１に示したゴミ取り具の下層体突出時の状態を示すＡ−Ａ断面図である。
【図４】図１に示したゴミ取り具の右側面図である
【図５】図２に示す下層収納時のゴミ取り具のＢ−Ｂ断面図である。
【図６】図３に示す下層突出時のゴミ取り具のＣ−Ｃ断面図である。
【図７】図２に示したゴミ取り具のＤ部拡大図であって、ゴミを捕捉する方法を説明する図である。
【図８】図２に示したゴミ取り具のＤ部拡大図であって、捕捉したゴミを、ゴミ箱に入れる手順を説明する図である。
【図９】この発明の実施の形態２にかかるゴミ取り具を示す平面図である。
【図１０】図９に示したゴミ取り具の下層体収納時の状態を示すＥ−Ｅ断面図である。
【図１１】図９に示したゴミ取り具の下層体突出時の状態を示すＥ−Ｅ断面図である。
【図１２】この発明の実施の形態３にかかる回転ブラシ部２の毛２２がゴミ取り具を示す平面図である。
【図１３】図１２に示したゴミ取り具の下層体収納時の状態を示すＦ−Ｆ断面図である。
【図１４】図１２に示したゴミ取り具の下層体突出時の状態を示すＦ−Ｆ断面図である。
【図１５】図１３に示す下層収納時のゴミ取り具のＧ−Ｇ断面図である。
【図１６】図１４に示す下層突出時のゴミ取り具のＨ−Ｈ断面図である。
【図１７】この発明の実施の形態４にかかるゴミ取り具を示す平面図である。
【図１８】図１７に示したゴミ取り具の下層体収納時の状態を示すＩ−Ｉ断面図である。
【図１９】図１７に示したゴミ取り具の下層体突出時の状態を示すＩ−Ｉ断面図である。
【図２０】図１８に示すゴミ取り具の下層収納時の状態を示すＪ−Ｊ断面図である。
【図２１】図１９に示すゴミ取り具の下層突出時の状態を示すＫ−Ｋ断面図である。
【図２２】図１８に示したゴミ取り具のＬ部拡大図であって、ゴミを捕捉する方法を説明する図である。
【図２３】図１８に示したゴミ取り具のＬ部拡大図であって、捕捉したゴミを、ゴミ箱に入れる手順を説明する図である。
【図２４】この発明の変形例１であり、突起ローラー部１の断面拡大図である。
【図２５】この発明の変形例２であり、突起ローラー部１の断面拡大図である。
【図２６】この発明の変形例３であり、突起ローラー部１の断面拡大図である。
【発明を実施するための形態】
【００１９】
（実施の形態１）
以下、図１〜図７を参照し、実施の形態１にかかるゴミ取り具の構成を説明する。このゴミ取り具１００は、突起ローラー部１に把手部３がついた形状であって、消しゴム屑その他のゴミが散乱した机や床の上で、突起ローラー部１を転がして、突起ローラー部１に設けられた多数の突起１１と突起１１の間隙にゴミを絡めとり、机や床の上を綺麗にする器具である。
【００２０】
図１に示すように、このゴミ取り具１００は、平面視、突起ローラー部１と、突起ローラー部１の片側先端に設けられた操作つまみ４と、突起ローラー部１の操作つまみ４とは反対側の先端に設けられた把手部３とを、有している。
【００２１】
突起ローラー部１は、横長の筒形状であり、突起ローラー部１の先端には把手部３が設けられている。把手部３は、使用者が片手で把持することが可能な適宜の柄状部材からなる。実施の形態１の把手部３は、金属製線材によって、突起ローラー部１の先端から逆７字状に形成されている。突起ローラー部１の表面には多数の突起１１が設けられている。また、突起ローラー部１の突起１１に隣接するように四角い孔１２が設けられている。本実施の形態１では、孔１２は四角い孔であるが、孔１２の形状は、四角に限定されるものではなく、円形や、その他の形状でも良い。また、孔１２の数は、突起１１と同数でなくても良い。さらに、突起ローラー部１を網目状のシートで形成することにより、孔１２が多数形成されるようにしても良い。
【００２２】
図２に示すように、突起１１の形状は細長い棒状の先にふくらんだ先端が設けられているマッチ棒のような形状である。突起ローラー部１の素材は、プラスチックや樹脂素材のシート素材をロール形状に丸めて形成されており、突起１１は、ゴムやシリコンで形成されている。突起１１の素材は、弾力を持ちつつ、柔らかすぎない素材が良く、ゴム、シリコン以外でも、プラスチックや樹脂製で形成しても良い。
【００２３】
突起ローラー部１の孔１２は、ロール表面１３から下に貫通された孔である。孔１２は、まっすぐの直下に貫通した孔ではなく、すこし斜め方向に貫通した孔である。突起ローラー部１の真下には回転ブラシ部２があり、突起ローラー部１の孔１２の中には、回転ブラシ部２に立設された毛２１が差し込まれた状態となっている。回転ブラシ部２が回転すると、毛２１の先端が孔２１の中を通って外部に突出したり、孔２１の中に引っ込んだりする。孔１２が、斜めに貫通していることで、回転ブラシ部２が回転したときに、毛２１が孔１２の中を滑りやすく、毛２１が孔１２の中を出入りしやすくなっている。
【００２４】
突起ローラー部１の把手部３が設けられている側とは反対側の先端には、円柱形状の操作部材４が設けられている。操作部材４は、突起ローラー部１の中空筒部内にある回転ブラシ部２と連結されており、操作部材４を操作して連結された回転ブラシ部２を回転させることができる。
【００２５】
本実施の形態１では、図２の毛２１が孔２１の中に潜った状態から、操作部材４を時計回りに回すと、回転ブラシ部２が時計回りに回転し、毛２１が突起ローラー部１の孔１２の中を滑って外部に突出し図３に示す状態となる。操作部材４を反時計回りに回すと、回転ブラシ部２が反時計回りに回転し、毛２１が、孔１２の中に引っ込んで図２に示す状態に戻る。
【００２６】
回転ブラシ部２が、反時計回りに回転しすぎると、毛２１の先端が孔１２から抜け落ちてしまうことになるが、抜け落ちてしまった場合、毛２１を再び孔１２の中に入れるのは困難になるため、回転ブラシ部２の回転する幅は、毛２１が孔１２から抜け落ちない幅で回転させるよう、操作つまみ４に目盛りがつけられている。図４に示すように、操作つまみ４の三角印を、「ゴミ捕獲」に合わせれば毛２１が孔１２から突出しない状態となり、「ゴミ放出」にあわせれば毛２１が孔１２から突出する。
【００２７】
孔１２は、周方向に対しても、斜めとなっているだけでなく、回転ブラシ部２の長手方向に対しても、斜めに貫通された孔となっている。本実施の形態１では、操作部材４を時計回りに回して回転ブラシ部２を時計回りに回転させることによって毛２１を孔１２から出入りさせる構造としたが、操作部材４を周方向に対し垂直に引き出して、回転ブラシ部２を引き出すことによって毛１２を孔１２から出入りさせる構造としても良い。
【００２８】
本実施の形態１では、操作つまみ４は、回転させて操作する形態としているが、スイッチ機構として操作可能にしても良いし、レバーの形態としても良い。
【００２９】
図５に示すように、ゴミ取りローラー１００の突起ローラー部１と、回転ブラシ部２は、それぞれ、ロール形状になっており、突起ローラー部１と回転ブラシ部２との間は、程よいスペースが設けられている。スペースがあることで、回転ブラシ部２が回転しやすく、毛２１が、よれずに前記孔１２に出入りできる。図５の矢印方向に、回転ブラシ部２を回転させると、毛２１が孔１２の中を通って外部に突出し、図６の状態になる。
【００３０】
図６に示すように、回転ブラシ部２が回転し、毛２１が孔１２の中を通って外部に突出する途中、突起ローラー部１の突起１１と突起１１との間隙を毛２１が通ることになる。つまり、毛２１の先端が、突起１１の壁面をこするように動いて突起１１より外側に毛２１の先端が出る。そのため、毛２１が、突起１１の壁面についたゴミもこそげ落とすことができる。
【００３１】
次に、ゴミ取りローラー１００のロールでゴミを補足し、ゴミ箱にゴミを捨てる場合の手順について説明する。
【００３２】
ゴミを捕捉したい時は、ゴミ取り具１００を、図２及び図５の状態（毛２１が孔１２の中にあって外部に突出していない状態）にしておく。毛２１の先端が孔１２の中にある状態のため、突起ローラー部１の突起１１と突起１１の間隙には、十分なスペースがあり、突起ローラー部１を床の上で転がすと、突起１１と突起１１の間隙にゴミが挟みこまれていく。
【００３３】
捕捉したゴミを捨てたいときは、ゴミ箱の上にゴミ取り具１００をかざし、操作つまみ４を時計回りに回す。操作つまみ４に連動して回転ブラシ部２が回転するので、毛２１が孔１２の中を通って外部に突出し、図３及び図６の状態となる。毛２１が孔１２の中を通って外部に突出する過程で、突起１１と突起１１との間隙に挟まったゴミを外に押し出す。したがって、ゴミに直接手を触れずに、ゴミをゴミ箱に捨てることができる。
【００３４】
上述の動きを、図７及び図８のゴミ取り具１００の断面の拡大図を示して説明する。
【００３５】
すなわち、ゴミＳを捕捉するために突起ローラー部１を机Ｔの上で転がすと、図７（ａ）に示すように、突起１１と突起１１の間隙にゴミＳが挟みこまれていく。そして、突起ローラー部１を転がしながら机Ｔに押し付けると、図７（ｂ）に示すように、ゴミＳが突起１１と突起１１の間隙に絡め取られる。
【００３６】
ゴミＳを捕捉し終えたら、ゴミ箱の上でゴミ取り具１００の操作部材４を操作し、回転ブラシ部２を回転させると、図８（ａ）に示すように、毛２１が孔１２から突出し、毛２１の先端が、突起１１と突起１１の間隙に挟まったゴミＳに達する。さらに、操作部材４を操作すると、図８（ｂ）に示すように、毛２１が突起２２よりも外部に突出するので、ゴミＳが外部に放出され、ゴミ箱に落下する。このようにして、ゴミに直接手を触れずに捕捉したゴミＳを捨てることができる。
【００３７】
本実施の形態１では、操作つまみ４を、時計回りに回すと、毛２１が外部に突出し、操作つまみを反時計回りに回すと毛２１が孔１２の中に入り込む構造としたが、操作つまみ４の機構は、これに限定されるものではなく、回転ブラシ部２を回転させて毛２１を突出及び収納できれば、どのような機構でも良い。操作つまみ４の回転方向を反対にしても良いし、つまみではなくスイッチその他で、回転ブラシ部２を所定位置まで回転させる構造としても良い。
【００３８】
（実施の形態２）
次に、図９〜図１１を参照し、実施の形態２にかかるゴミ取り具の構成を説明する。
【００３９】
図９に示すように、このゴミ取り具２００は、筒形状の突起ローラー部１と、突起ローラー部１の内部に設けられた筒形状の回転ブラシ部２（不図示）と、突起ローラー部１の片側先端に設けられた操作つまみ４を主に有している。把手部４は有さず、代わりに、シャープペンシルが突起ローラー部１の先端に一体化した形で設けられている。突起ローラー部１の先端は、シャープペンシル以外の筆記用具（鉛筆やペンなど）を一体化させてもよいし、また、何も設けず、自由に着脱できるキャップ形状にして、ゴミ取り具２００を、適時、好みの筆記具の先端に取り付けられるようにしても良い。本実施の形態２は、主に、机の上に散らばった消しゴムの屑を掃除するために用いられる。
【００４０】
図１０に示すように、突起ローラー部１は、平面視、横長の筒形状である。突起ローラー部１の表面には複数の突起１１が設けられている。突起１１の形状は棒状で先端がふくらんでいる。突起１１の素材は、ゴム、シリコンが最適であるが、プラスチックや樹脂などでも良い。突起１１の素材としては、弾力を持ちつつ、柔らかすぎない素材が良い。突起ローラー部１の素材は、プラスチックや樹脂素材のシート素材を丸めて形成されている。
【００４１】
突起ローラー部１の各突起１１に隣接するように孔１２が設けられている。本実施の形態２では、孔１２は四角い孔としてあるが、孔１２の形状は、四角に限定されるものではなく、円形や、その他の形状でも良い。また、孔１２の数は、突起１１と同数でなくても良い。また、突起ローラー部１を網目状のシートで形成することにより、孔１２が多数形成されるようにしても良い。
【００４２】
図１０に示すように、突起ローラー部１の先端には、操作つまみ４が設けられている。操作つまみ４は、突起ローラー部１の内部の回転ブラシ部２とつながっている。回転ブラシ部２は、突起ローラー部１の中空筒部内に設けられ、筒形状で、表面に多数の毛２１が立設されている。毛２１の先端は孔１２の中に差し込まれた状態となっている。操作つまみ４を回すと、それに伴って、操作つまみ４に連結された回転ブラシ部２も回転し、毛２１の先端が孔１２の中を滑って外部に突出したり、孔１２の中に引っ込んだりする。
【００４３】
突起ローラー部１の孔１２は、ロール表面１３から下に貫通された孔である。孔１２は、まっすぐの直下に貫通した孔ではなく、すこし斜め方向に貫通した孔である。孔１２の中には、回転ブラシ部２の毛２１の先端が入っているが、孔１２が、斜めに貫通していることで、回転ブラシ部２の毛２１が孔１２の中を滑りやすく、毛２１が孔１２の中を出入りしやすくなっている。
【００４４】
操作つまみ４を時計回りに回すと回転ブラシ部２も連動して時計回りに回転する。回転ブラシ部２が回転すると、下層表面２２に立設された毛２１が周回方向に動き、図１１に示すように、毛２１が、突起ローラー部１の孔１２の中を滑って外部に突出する。
【００４５】
図１１は、操作つまみ４を時計回りに回して、回転ブラシ部１の毛２１が外部に突出した状態を示しているが、操作つまみ４を反時計回りに回すと、毛２１が孔１２の中に入り込み、図９の状態に戻る。操作つまみ４を反時計回りに回しすぎると、毛２１が孔１２から出てしまい、そうなると、再び毛２１を孔１２に入れるのが難しくなるので、操作つまみ４の回転する位置は、毛２１が孔２１から出てしまわない位置までしか回らないように設定されている。
【００４６】
ゴミを捕捉したい時は、ゴミ取り具２００を、図９の状態（毛２１が孔１２の中にあって外部に突出していない状態）にしておく。毛２１の先端が孔１２の中にある状態のため、突起ローラー部１の突起１１と突起１１の間隙には、十分なスペースがあり、突起ローラー部１を床の上で転がすと、突起１１と突起１１の間隙にゴミが挟みこまれていく。突起１１は、ある程度の硬さを持つ素材で作られており、本実施の形態２で捕捉するゴミは、消しゴム屑が主であるため、突起１１と突起１１の間隙に入りきらない大きな消しゴム屑は、突起１１に刺さって捕捉される。
【００４７】
捕捉したゴミを捨てたいときは、ゴミ箱の上にゴミ取り具２００をかざし、操作つまみ４を時計回りに回す。操作つまみ４に連動して回転ブラシ部２が回転するので、毛２１が孔１２の中を通って外部に突出して、図１１の状態となる。毛２１が孔１２の中を通って外部に突出する過程で、突起１１と突起１１との間隙に挟まったゴミを外に押し出す。また、毛２１は、外部突出時、突起１１よりも外側まで突出するので、突起１１に刺さった大きな消しゴム屑も突起１１からはがすことができる。このような方法を用いることで、ゴミに直接手を触れずに、ゴミ箱に捨てることができる。
【００４８】
本実施の形態２は、操作つまみ４を、時計回りに回すと、毛２１が外部に突出し、操作つまみを反時計回りに回すと毛２１が孔１２の中に入り込む構造としたが、操作つまみ４の機構は、これに限定されるものではなく、回転ブラシ部２を回転させて毛２１を突出及び収納できれば、どのような機構でも良い。操作つまみ４の回転方向を反対にしても良いし、つまみではなくスイッチやレバー機構で、回転ブラシ部２を所定位置まで回転させる構造としても良い。
【００４９】
（実施の形態３）
次に、図１２〜図１６を参照し、実施の形態３にかかるゴミ取り具３００の構成を説明する。
【００５０】
図１２に示すように、このゴミ取り具３００は、筒形状の突起ローラー部１と、突起ローラー部１の片側先端に設けられた円柱形状の操作つまみ４と、突起ローラー部１の操作つまみ４とは反対側の先端に設けられた把手部３とを、主に有している。突起ローラー部１の中空筒部内には、筒形状の回転ブラシ部２（不図示、後述）を有している。突起ローラー部１は、平面視、横長の筒形状で、突起ローラー部１の先端には把手部３が設けられている。実施の形態３の把手部３は、金属製線材によって、突起ローラー部１の先端から逆７字状に形成されている。
【００５１】
突起ローラー部１の表面には複数の横長突起１４が設けられている。突起ローラー部１の素材は、プラスチックや樹脂素材のシート素材をロール形状に丸めて形成されており、横長突起１４の形状は細長い土手形状で、ローラーの端から端までつながっている。また、横長突起１４の素材は、ゴムやシリコンで形成されている。横長突起１４の素材は、弾力を持ちつつ、柔らかすぎない素材が良く、ゴム、シリコンが以外でも、プラスチックや樹脂製で形成しても良い。
【００５２】
横長突起１４に沿って、横長溝１５が設けられている。本実施の形態２では、横長溝１５は細長い長方形状の溝としてあるが、横長溝１５の形状は、長方形状に限定されるものではなく、楕円形その他の形状であっても良い。また、横長突起１４に沿って切り込みを設けるだけでも良い。さらに、突起ローラー部１をローラーの左右の端部分だけ設けて、あとは空洞にし、横長突起１４をローラーの左右に橋渡しするように設けると、隣接する横長突起１４の間隙に横長溝１５が形成されることになるので、そのような作成方法を用いても良い。
【００５３】
図１３に示すように、突起ローラー部１の先端には、操作つまみ４が設けられている。操作つまみ４は、突起ローラー部１の内部の回転ブラシ部２とつながっており、操作つまみ４を時計回りに回すと回転ブラシ部２も連動して時計回りに回転する。回転ブラシ部２が回転すると、下層表面２２に立設された毛２１が周回方向に動き、毛２１が、突起ローラー部１の孔１２の中を滑って外部に突出する。
【００５４】
ゴミ取りローラー３００の突起ローラー部１と、回転ブラシ部２は、それぞれ、ロール形状になっており、突起ローラー部１と回転ブラシ部２との間は、程よいスペースが設けられている。スペースがあることで、回転ブラシ部２が回転しやすく、毛２１が、よれずに孔１２に出入りできる。
【００５５】
図１４は、操作つまみ４を時計回りに回して、回転ブラシ部１の毛２１が外部に突出した状態を示している。操作つまみ４を反時計回りに回すと、毛２１が孔１２の中に入り込み、図１３の状態に戻る。操作つまみ４を反時計回りに回しすぎると、毛２１が孔１２から出てしまい、そうなると、再び毛２１を孔１２に入れるのが難しくなるので、操作つまみ４に目盛りをつけてある。目盛りの位置まで、操作つまみ４を回転するようにすれば、操作つまみ４を回しすぎて毛２１が孔２１から出てしまうことを防止できる。
【００５６】
回転ブラシ部２が回転し、毛２１が孔１２の中を通って外部に突出すると、突起ローラー部１の横長突起１４と横長突起１４との間隙を毛２１が通ることになるので、毛２１の先端が、横長突起１４の壁面をこするように動き、横長突起１４と横長突起１４との間隙に挟まったゴミを外部に放出することができる。
【００５７】
次に、ゴミ取りローラー３００のロールでゴミを補足し、ゴミ箱にゴミを捨てる場合の手順について説明する。
【００５８】
ゴミを捕捉したい時は、ゴミ取り具３００を、図１３及び図１４の状態（毛２１が孔１２の中にあって外部に突出していない状態）にしておく。毛２１の先端が孔１２の中にある状態のため、突起ローラー部１の横長突起１４と横長突起１４の間隙には、十分なスペースがあり、突起ローラー部１を床の上で転がすと、突起１１と突起１１の間隙にゴミが挟みこまれていく。
【００５９】
次に、捕捉したゴミを捨てたいときは、ゴミ箱の上にゴミ取り具４００をかざし、操作つまみ４を時計回りに回す。操作つまみ４に連動して回転ブラシ部２が回転するので、毛２１が孔１２の中を通って外部に突出して、図１４及び図１６の状態となる。毛２１が孔１２の中を通って外部に突出する過程で横長突起１４の表面をこすり、横長突起１４と横長突起１４との間隙に挟まったゴミを外に押し出す。したがって、ゴミに直接手を触れずに、ゴミをゴミ箱に捨てることができる。
【００６０】
上記各実施の形態では、シート状物を筒形状にしてゴミ取り部を形成したものを説明したが、プラスチック成型によって、ロール形状を作成しても良い。また、突起ローラー部１をメッシュ状にして孔１２の形成を省略しても良い。さらに、突起ローラー部１をロール全面に設けず、一部のみ設けて、突起１１や横長突起１４を橋渡しするように設け、孔１２や溝１５の形成を省略しても良い。
【００６１】
（実施の形態４）
以下、図１７〜図２３を参照し、実施の形態４にかかるゴミ取り具４００の構成を説明する。このゴミ取り具４００は、ゴミ取りローラー部１に把手部３がついた形状であって、消しゴム屑その他のゴミが散乱した机や床の上で、突起ローラー部１を転がして、突起ローラー部１に設けられた多数の突起１１と突起１１の間隙にゴミを絡めとり、机や床の上を綺麗にする器具である。
【００６２】
図１７に示すように、このゴミ取り具４００は、筒形状の突起ローラー部１と、突起ローラー部１の片側先端に設けられた操作つまみ４と、突起ローラー部１の操作つまみ４とは反対側の先端に設けられた把手部３とを、主に有している。突起ローラー部１の中空筒部内には、筒形状の回転ブラシ部２（不図示、後述）を有している。
【００６３】
図１８に示すように、突起ローラー部１は、平面視、横長の筒形状である。突起ローラー部１の表面には複数の突起１１が設けられている。突起１１の形状は細長い棒状の先にふくらんだ先端が設けられているマッチ棒のような形状である。突起ローラー部１の素材は、プラスチックや樹脂素材のシート素材をロール形状に丸めて形成されており、突起１１は、ゴムやシリコンで形成されている。突起１１の素材は、弾力を持ちつつ、柔らかすぎない素材が良く、ゴム、シリコンが以外でも、プラスチックや樹脂製で形成しても良い。
【００６４】
突起ローラー部１の突起１１に隣接するように孔１２が設けられていて、孔１２にはキノコ形ブラシピン２３が嵌っている。このキノコ形ブラシピン２３は、回転ブラシ部２に立設されたものである。孔１２の形状は、どんな形状でも良く、四角形、円形や、その他の形状でも良い。また、孔１２の数は、突起１１と同数でなくても良い。さらに、突起ローラー部１を網目状のシートで形成することにより、孔１２が多数形成されるようにしても良い。
【００６５】
把手部３は、使用者が片手で把持することが可能な適宜の柄状部材からなる。実施の形態４の把手部３は、金属製線材によって、突起ローラー部１の先端から逆７字状に形成されている。
【００６６】
突起ローラー部１の孔１２は、ロール表面１３から下に貫通された孔であるが、まっすぐではなく、すこし斜め方向に貫通した孔となっている。孔１２が、斜めに貫通していることで、回転ブラシ部２のキノコ形ブラシピン２３のキノコの軸にあたる部分が孔１２の中を滑りやすくなっている。キノコ形ブラシピン２３の先端のキノコの傘の部分は常に孔１２より外に出ている。回転ブラシ部２を回すと、キノコの軸にあたる部分が孔１２の中を滑って、キノコ形ブラシピン２３全体が外部に長く突出したり、キノコ形ブラシピン２３の傘の部分のみ外部に突出する状態となったりする。キノコの傘の直径は、孔１２の直径より大きいので、このキノコの傘の部分がひっかかって、キノコ形ブラシピン２３が孔１２の中に入り込んでしまうのを防いでいる。
【００６７】
突起ローラー部１の先端には、操作つまみ４が設けられている。操作つまみ４は、突起ローラー部１の内部の回転ブラシ部２とつながっており、操作つまみ４を時計回りに回すと回転ブラシ部２も連動して時計回りに回転する。回転ブラシ部２が回転すると、下層表面２２に立設されたキノコ形ブラシピン２３が周方向に動き、キノコ形ブラシピン２３が、突起ローラー部１の孔１２の中を滑って外部に突出する。キノコ形ブラシピン２３のキノコの傘にあたる部分が、突起１１の先端より高い位置まで突出する。
【００６８】
図１９は、操作つまみ４を時計回りに回して、回転ブラシ部１のキノコ形ブラシピン２３が外部に突出した状態を示している。操作つまみ４を反時計回りに回すと、キノコ形ブラシピン２３が孔１２の中に入り込み、図１８の状態に戻る。操作つまみ４を反時計回りに回しすぎると、キノコ形ブラシピン２３のキノコの傘部分が引っかかってしまうので、操作つまみ４の回転する位置は、キノコ形ブラシピン２３が孔２１から抜け出てしまわない位置までしか回らないようになっている。
【００６９】
図２０に示すように、ゴミ取りローラー１００の突起ローラー部１と、回転ブラシ部２は、それぞれ、ロール形状になっており、突起ローラー部１と回転ブラシ部２との間は、程よいスペースが設けられている。スペースがあることで、回転ブラシ部２が回転しやすく、キノコ形ブラシピン２３が、よれずに、孔１２に出入りできる。図２０の矢印方向に、回転ブラシ部２を回転させると、キノコ形ブラシピン２３が孔１２の中を通って外部に突出し、図２１の状態になる。
【００７０】
図２１に示すように、回転ブラシ部２が回転し、キノコ形ブラシピン２３が孔１２の中を通って外部に突出すると、突起ローラー部１の突起１１と突起１１との間隙をキノコ形ブラシピン２３が通ることになるので、キノコ形ブラシピン２３の先端のキノコの傘の部分が、突起１１の壁面をこするように動き、突起１１と突起１１との間隙にゴミが挟まっていた場合は、そのゴミを外部に放出することになる。したがって、捕捉したゴミに直接手を触れず、簡単に、ゴミ箱に捨てることができる。
【００７１】
次に、ゴミ取りローラー４００のロールでゴミを補足し、ゴミ箱にゴミを捨てる場合の手順について説明する。
【００７２】
ゴミを捕捉したい時は、ゴミ取り具４００を、図１８及び図２０の状態（キノコ形ブラシピン２３が孔１２の中にあって外部に突出していない状態）にしておく。キノコ形ブラシピン２３の先端が孔１２の中にある状態のため、突起ローラー部１の突起１１と突起１１の間隙には、十分なスペースがあり、突起ローラー部１を床の上で転がすと、突起１１と突起１１の間隙にゴミが挟みこまれていく。
【００７３】
次に、捕捉したゴミを捨てたいときは、ゴミ箱の上にゴミ取り具４００をかざし、操作つまみ４を時計回りに回す。操作つまみ４に連動して回転ブラシ部２が回転するので、キノコ形ブラシピン２３が孔１２の中を通って外部に突出して、図１９及び図２１の状態となる。キノコ形ブラシピン２３が孔１２の中を通って外部に突出する過程で、突起１１の表面をこすり、突起１１と突起１１との間隙に挟まったゴミを外に押し出す。したがって、ゴミに直接手を触れずに、ゴミをゴミ箱に捨てることができる。
【００７４】
上述の動きを、図２２及び図２３のゴミ取り具４００の断面拡大図を示して説明する。すなわち、図２２（ａ）に示すように、机Ｔの上を、突起ローラー部１を転がしたとき、突起１１と突起１１の間隙にゴミＳが挟みこまれていく。そして、そして、突起ローラー部１を転がしながら机Ｔに押し付けると、図２２（ｂ）に示すように、ゴミＳが突起１１と突起１１の間隙に絡め取られる。
【００７５】
ゴミＳを捕捉し終えたら、ゴミ箱の上でゴミ取り具４００の操作部材４を操作し、回転ブラシ部２を回転させると、図２３（ａ）に示すようにキノコ形ブラシピン２３が孔１２から突出し、毛２１の先端が、突起１１と突起１１の間隙に挟まったゴミＳに達する。さらに、操作部材４を操作すると、図２３（ｂ）に示すように、キノコ形ブラシピン２３が突起２２よりも外部に突出するので、ゴミＳが外部に放出され、ゴミ箱に落下する。このようにして、ゴミに直接手を触れずに捕捉したゴミＳを捨てることができる。
【００７６】
本実施の形態４では、操作つまみ４を、時計回りに回すと、キノコ形ブラシピン２３が外部に突出し、操作つまみを反時計回りに回すとキノコ形ブラシピン２３が孔１２の中に入り込む構造としたが、操作つまみ４の機構は、これに限定されるものではなく、回転ブラシ部２を回転させてキノコ形ブラシピン２３を突出及び収納できれば、どのような機構でも良い。操作つまみ４の回転方向を反対にしても良いし、つまみではなくスイッチその他で、回転ブラシ部２を所定位置まで回転させる構造としても良い。
【００７７】
本発明にかかるゴミ取り具は、ゴミを捕捉するだけでなく、手で拾い集めるのが困難なサイズが小さくて数の多い物品を拾い集める用途にも使用することができる。突起ローラー部１の突起の形状や大きさを変えれば、特定のサイズの物を集中的に捕捉することも可能である。工場の床に小さなボルトやナットが散らばった状況で、特定の大きさのボルトのみ拾い集めることもできるし、また、ビーズを用いたネイルアートをする際や、ビーズアートの制作の際に、床や机の上に散らばったビーズを拾い集めることもできる。突起の大きさを変えた突起ローラーを数種類用意して、最初は、大きめの突起を立設した突起ローラーで大きな物を収拾したあと、小さい突起を立設した突起ローラーで細かい物を捕捉するように使い分けても良い。
【００７８】
本実施の形態４では、突起ローラー部１の表面に設けられた突起１１は、細長い棒状の先にふくらんだ先端が設けられているマッチ棒のような形状としたが、突起１１の形状は、先端が周方向に拡張して張り出した形状であれば、マッチ棒のような形状でなくても良い。たとえば、図２４に示す先端が傘のような形状の突起１５としても良い。突起１５の形状は、極小のビーズが突起と突起の間隙に滑り込みやすいため、ビーズアート等、極小ビーズをたくさん使用する作業場で、散らばったビーズを収拾する際に使用することができる。また、図２５に示すような先端に平たい円盤がついた突起１６としても良い。突起１６は、タイルの破片など厚みのないものを拾い集めるのに適している。図２６に示す円錐形状を逆にした形状の突起１７としても良い。突起１７は、糸くず等を拾い集める用途に適している。ほかにも、工場の床に散らばった小さいボルトやナット等だけを集めたいときは、ボルトやナットのサイズにあわせたサイズの突起を用いると良い。
【符号の説明】
【００７９】
１００，２００，３００，４００  ゴミ取り具
１  突起ローラー部
１１  突起
１２  孔  
１３  ロール表面
１４  横長突起
１５  突起
１６  突起
１７  突起
２  回転ブラシ部
２１  毛
２２  下層表面
２３  キノコ形ブラシピン
３  把手部  
３１  握持部
３２  接続部
４  操作つまみ
４１  ねじ部
４２  つまみ部
Ｓ  ゴミ
Ｔ  机
Ｕ  ビーズ
Ｖ  タイル片
Ｗ  糸くず
【図１】
2015083103.tif 000003
【図２】
2015083103.tif 000004
【図３】
2015083103.tif 000005
【図４】
2015083103.tif 000006
【図５】
2015083103.tif 000007
【図６】
2015083103.tif 000008
【図７】
2015083103.tif 000009
【図８】
2015083103.tif 000010
【図９】
2015083103.tif 000011
【図１０】
2015083103.tif 000012
【図１１】
2015083103.tif 000013
【図１２】
2015083103.tif 000014
【図１３】
2015083103.tif 000015
【図１４】
2015083103.tif 000016
【図１５】
2015083103.tif 000017
【図１６】
2015083103.tif 000018
【図１７】
2015083103.tif 000019
【図１８】
2015083103.tif 000020
【図１９】
2015083103.tif 000021
【図２０】
2015083103.tif 000022
【図２１】
2015083103.tif 000023
【図２２】
2015083103.tif 000024
【図２３】
2015083103.tif 000025
【図２４】
2015083103.tif 000026
【図２５】
2015083103.tif 000027
【図２６】
2015083103.tif 000028